(57)【要約】      （修正有）【課題】撓みや巻きクセに起因して生じる電線又はケーブルの擦れや絡まりを防止することが可能な電線又はケーブル装着用の環状体を提供する。【解決手段】電線又はケーブル装着用の環状体１は、電線又はケーブル２０を挿通させる中空部１１を有する内周部１２と、前記内周部の外周に形成される芯部１３と、前記芯部の外周に形成される外周部１４と、を備え、前記内周部の前記中空部側の表面は、前記電線又はケーブルの表面よりも摩擦係数が小さく、前記電線又はケーブル装着用の環状体は、前記電線又はケーブルの単位長さあたりの質量よりも重いことを特徴とする。【選択図】図１
2014086136.tif 000002
【特許請求の範囲】
【請求項１】
電線又はケーブルを挿通させる中空部を有し、
前記中空部側の表面は、前記電線又はケーブルの表面よりも摩擦係数が小さい
ことを特徴とする電線又はケーブル装着用の環状体。
【請求項２】
前記電線又はケーブルの単位長さあたりの質量よりも重い
ことを特徴とする請求項１に記載の電線又はケーブル装着用の環状体。
【発明の詳細な説明】
【技術分野】
【０００１】
本発明は、電線又はケーブル装着用の環状体に関し、特に電線又はケーブルのたわみや絡みを軽減することが可能な電線又はケーブル装着用の環状体に関する。
【背景技術】
【０００２】
電線又はケーブルは、電気機器などの装置同士の接続に用いられる。電線又はケーブルは、通常、ゴムや樹脂を主原料とした絶縁材料からなる絶縁被覆を導体の外周上に有している。絶縁材料としてはクロロプレンゴムやポリ塩化ビニルなどがあり、特にクロロプレンゴムは耐摩耗性や対候性に優れる（例えば、特許文献１を参照）。
【０００３】
電線又はケーブルは、特に可動式の装置などの接続に用いられる場合、その長さに余裕を持たせて布設される。このように布設されることで電線又はケーブルは装置の移動に対応して追従することが可能となる。
【先行技術文献】
【特許文献】
【０００４】
【特許文献１】特開２０１２−１８８１０号公報
【発明の概要】
【発明が解決しようとする課題】
【０００５】
しかしながら、電線又はケーブルは長さに余裕を持たせて布設され、撓んでいるため、装置の移動に対応して追従を繰り返すことで絶縁被覆の表面が擦れ、損傷するおそれがある。
【０００６】
また、電線又はケーブルは撓んでいるため、装置の移動に対応して追従を繰り返すことで絡まるおそれがある。特に巻きクセが生じている場合、電線などの絡まりが生じやすい傾向にある。また、質量の軽いケーブルなどは水中で用いられる場合、浮力により水面付近に浮かび、絡まるおそれがある。
【０００７】
本発明は、このような問題に鑑みて成されたもので、その目的は、撓みや巻きクセに起因して生じる電線又はケーブルの擦れや絡まりを防止することが可能な電線又はケーブル装着用の環状体を提供することにある。
【課題を解決するための手段】
【０００８】
本発明の第１の態様によれば、電線又はケーブルを挿通させる中空部を有し、前記中空部側の表面は、前記電線又はケーブルの表面よりも摩擦係数が小さい、電線又はケーブル装着用の環状体が提供される。
【０００９】
本発明の第２の態様によれば、前記電線又はケーブルの単位長さあたりの質量よりも重い、第１の態様の電線又はケーブル装着用の環状体が提供される。
【発明の効果】
【００１０】
本発明によれば、撓みや巻きクセに起因して生じる電線又はケーブルの絡みや擦れを抑制する電線又はケーブル装着用の環状体を得ることができる。
【図面の簡単な説明】
【００１１】
【図１】本実施形態に係る電線又はケーブル装着用の環状体の形状を示す概略図であって、（ａ）はその正面図、（ｂ）はその側面図、（ｃ）はその斜視図である。
【図２】本実施形態に係る電線又はケーブル装着用の環状体がケーブルに挿通された場合の図である。
【図３】本実施形態に係る電線又はケーブル装着用の環状体に挿通されたケーブルが装置の移動に対応して追従する場合を示す図である。
【図４】本実施形態に係る電線又はケーブル装着用の環状体に挿通されたケーブルの水中における状態を示す図である。
【図５】撓みや巻きクセのあるケーブルが装置の移動に対応して追従する場合を示す図である。
【図６】撓みや巻きクセのあるケーブルの水中における状態を示す図である。
【発明を実施するための形態】
【００１２】
上述したように、ケーブルは撓みや巻きクセに起因して絶縁被覆が損傷したり、絡まりが生じたりする。これについて、図５及び図６を用いて具体的に説明をする。図５は、撓みや巻きクセのあるケーブルが装置の移動に対応して追従する場合を示す図であり、図６は、撓みや巻きクセのあるケーブルの水中における状態を示す図である。
【００１３】
図５に示すように、装置３０同士を接続するケーブル２０は撓んだ状態となっている。このケーブル２０は長さに余裕があるため、装置３０の移動に対応して追従することができる。装置３０が垂直方向（図中の上下方向）に移動する場合、装置３０の移動に対応してケーブル２０は追従するが、ケーブル２０は追従を繰り返すことにより、表面（絶縁被膜）が擦れ、損傷する場合がある。また、撓んだケーブル２０は追従を繰り返す過程で絡まる場合があり、特にケーブル２０に巻きクセがあると絡まる傾向が顕著となる。なお、図５は、装置３０が垂直方向に移動する場合を示すが、装置３０が水平方向（図中の左右方向）に移動する場合も同様にケーブル２０の損傷や絡まりが生じる場合がある。
【００１４】
また、図６に示すように、水４０中に導入されたケーブル２０は浮力により浮かび、絡まる場合がある。特にケーブル２０の質量が軽く、浮力により浮かびやすい場合、絡まる傾向が顕著となる。
【００１５】
本発明者らは、上記課題を解決すべく鋭意検討した結果、重りとなる環状体を電線やケーブルに挿通させることでケーブルの撓みや巻きクセを軽減し、それらに起因するケーブルの損傷や絡まりを抑制できることを見出した。また、水中においては浮力によるケーブルの浮きを軽減し、ケーブルの絡まりを抑制できることを見出した。本発明は以上の知見に基づいて成されたものである。
【００１６】
〈本発明の一実施形態〉
以下に、本発明の一実施形態に係る電線又はケーブル装着用の環状体について図１を参照しながら説明をする。図１は、本実施形態に係る電線又はケーブル装着用の環状体の概略図であって、（ａ）はその正面図、（ｂ）はその側面図、（ｃ）はその斜視図である。なお、以下の説明では、電線又はケーブル装着用の環状体を環状体ともいう。
【００１７】
（環状体）
本実施形態に係る環状体は、ケーブルを挿通させる中空部を有し、中空部側の表面は、ケーブルの表面よりも摩擦係数が小さい。具体的には、本実施形態の環状体１は、図１（ａ）に示すように、中空部１１を有する内周部１２と、内周部１２の外周に形成される芯部１３と、芯部１３の外周に形成される外周部１４と、を備えており、内周部１２の中空部１１側の表面は、ケーブル２０の表面よりも摩擦係数が小さい。
【００１８】
内周部１２は、ケーブル２０が挿通する中空部１１を有し、中空部１１側の表面においてケーブル２０の表面（絶縁被覆）と接触する部材である。ケーブル２０の環状体１への挿通を容易にするため、内周部１２の中空部１１側は絶縁被覆と比較して摩擦係数が小さい。このような内周部１２を構成する材料としては、絶縁被覆よりも摩擦係数が小さければ特に限定されない。絶縁被覆にクロロプレンゴムやポリ塩化ビニルなどが用いられる場合、内周部１２は、ＥＴＦＥやＦＥＰなどのフッ素樹脂から構成されることが好ましい。これによれば、内周部１２の摩擦係数が小さいため、ケーブル２０を容易に挿通させることができる。
【００１９】
内周部１２の形状は、図１（ａ）に示す円形形状に限定されず、適宜変更することが可能である。また、内周部１２の厚さ（図１（ｂ）における横幅）は特に限定されず、適宜変更することが可能である。
【００２０】
内周部１２において、中空部１１の形状は特に限定されないが、挿通されるケーブル２０の絶縁被覆を損傷しないような形状であることが好ましい。このような形状としてはケーブル２０の断面形状と略相似形状であり、例えばケーブル２０の断面形状が円形である場合、中空部１１の形状は円形であることが好ましい。また、中空部１１の径は、ケーブル２０を挿通できる径であればよく、ケーブル２０の外径以上から適宜設定することができる。
【００２１】
芯部１３は、内周部１２の外周に形成され、環状体１の質量を増加させるような部材である。芯部１３を構成する材料としては、環状体１の質量を増加させるようなものであれば特に限定されず、例えば金属が好ましい。芯部１３が金属から構成されることにより、環状体１の単位長さ当たりの質量を増加させることができる。そして、環状体１の質量がケーブル２０の単位長さ当たりの質量よりも重くなることで、ケーブル２０の撓みや巻きクセをより低減し、それらに起因するケーブル２０の損傷や絡まりを抑制することができる。
【００２２】
芯部１３の形状は、図１（ａ）に示す円形形状に限定されず、適宜変更することが可能である。また、芯部１３の厚さ（図１（ｂ）における横幅）は特に限定されず、環状体１の質量を調整することを目的として適宜変更することが可能である。
【００２３】
外周部１４は、芯部１３の外周に形成され、芯部１３との接触によるケーブル２０の損傷を抑制するような部材である。外周部１４を構成する材料は、ケーブル２０の損傷を防止できるようなものであれば特に限定されず、例えば、内周部１２と同様のＥＴＦＥやＦＥＰなどのフッ素樹脂、又はシリコンゴムなどを用いることができる。外周部１４がこれらの材料から構成されることにより、環状体１との接触によるケーブル２０の損傷を抑制することができる。
【００２４】
外周部１４の形状は、特に限定されないが、環状体１との接触によるケーブル２０の損傷を抑制する観点から、図１（ａ）に示すような円形形状であることが好ましい。また、外周部１４の厚さ（図１（ｂ）における横幅）は特に限定されず、適宜変更することが可能である。
【００２５】
（環状体の作用）
次に、上記環状体１の作用について図２〜４を参照しながら説明をする。図２は、本実施形態に係る電線又はケーブル装着用の環状体がケーブルに挿通された際の図である。図３は、本実施形態に係る電線又はケーブル装着用の環状体に挿通されたケーブルが装置の移動に対応して追従する場合を示す図である。図４は、本実施形態に係る電線又はケーブル装着用の環状体に挿通されたケーブルの水中における状態を示す図である。
【００２６】
図２に示すように、環状体１は内周部１２に中空部１１を有しており、中空部１１内にケーブル２０を挿通させることができる。挿通の際、環状体１における内周部１２はケーブル２０の表面よりも摩擦係数が小さい材料から構成されているため、ケーブル２０は摩擦による抵抗が少ない状態で挿通される。また、環状体１はケーブル２０との摩擦が少ないため、ケーブル２０に沿って移動が自在となっている。
【００２７】
しかも、環状体１は所定の質量を有するため、図２に示すように、その自重によりケーブル２０の長手方向（図中の矢印方向）に張力を付与して、ケーブル２０の撓みや巻きクセを軽減する。
【００２８】
環状体１が装置３０同士を接続するケーブル２０に装着される場合、図３に示すように、環状体１は重りとしてケーブル２０に所定の張力を付与して、撓みを低減してケーブル２０を強く張る。この状態から装置３０が上下方向（図中の垂直方向）に移動すると、その移動に対応してケーブル２０が追従することになるが、環状体１はケーブル２０の長手方向に自在に移動することでケーブル２０を強く張った状態に維持することができる。これにより、装置３０の移動を繰り返すことによって生じるケーブル２０の損傷や絡まりが抑制される。また、環状体１は、ケーブル２０との摩擦が小さいためケーブル２０の損傷を引き起こしにくく、ケーブル２０の特性を低下させることがない。
【００２９】
また、環状体１が水中のケーブル２０に装着される場合、図４に示すように、環状体１は重りとしてケーブル２０の浮きを軽減し、ケーブル２０を強く張った状態に維持することができる。そして、ケーブル２０の絡まりを抑制することができる。
【００３０】
〈本実施形態に係る効果〉
本実施形態によれば、以下に示す１つ又は複数の効果を奏する。
【００３１】
本実施形態において、環状体は中空部を有し、中空部側の表面における摩擦係数がケーブルの表面よりも小さい。本実施形態の環状体によれば、所定の質量を有しており、重りとしてケーブルに張力を付与できるため、ケーブルの撓みや巻きクセを軽減して張った状態とすることができる。しかも、環状体はケーブルとの摩擦係数が小さく、ケーブルの長手方向に自在に移動できるため、装置の移動に追従して移動するケーブルを張った状態で維持することができる。これにより、ケーブルの撓みや巻きクセに起因するケーブルの損傷や絡まりを抑制することができる。また、質量が軽く、水中で浮力により浮かぶケーブルであっても、同様にケーブルの損傷や絡まりを抑制することができる。
【００３２】
また、本実施形態の環状体は、ケーブルの単位長さ当たりの質量よりも重いことが好ましい。これにより、より大きな張力をケーブルに付与できるため、ケーブルの撓みや巻きクセをさらに軽減して、撓みなどに起因するケーブルの損傷や絡まりをさらに抑制することができる。
【００３３】
〈他の実施形態〉
上記実施形態では、芯部が金属からなる場合について説明したが、本発明はこれに限定されない。芯部には金属以外に例えば磁性体を用いることも可能である。磁性体からなる芯部を備える環状体によれば、複数をケーブルに挿通させて、磁力により等間隔で離間した状態で挿通させることもできる。
【符号の説明】
【００３４】
１  電線又はケーブル装着用の環状体
１１  中空部
１２  内周部
１３  芯部
１４  外周部
２０  ケーブル（電線）
３０  装置
４０  水
【図１】
2014086136.tif 000003
【図２】
2014086136.tif 000004
【図３】
2014086136.tif 000005
【図４】
2014086136.tif 000006
【図５】
2014086136.tif 000007
【図６】
2014086136.tif 000008